(57)【要約】【課題】二次巻線において、ハニカムコイルの特定使用より分布容量を改善し、幾何学的寸法を使用に供し得る形態に改善し、更には限定的使用により小型軽量化、素材量、工数の低減、コストダウンを可能にする。【解決手段】コア１に巻装した低圧側の一次巻線２の外周に絶縁層３を介して高圧側の二次巻線５を巻き重ねた高周波高圧変圧器において、電気的直列方向に複数に分割した二次分割巻線をそれぞれリング状乃至鍔状でかつ共通の形態をなすハニカムコイルに形成し、これらのハニカムコイルを内周部側低電位態勢で直列接続するか、又は、電気的並列方向に複数に分割した二次分割巻線をそれぞれリング状乃至鍔状でかつ共通の形態をなすハニカムコイルに形成し、これらのハニカムコイルを内周部側低電位態勢で並列接続する。【選択図】図５
2009117626.tif 000002
【特許請求の範囲】
【請求項１】
コアに巻装した低圧側の一次巻線の外周に絶縁層を介して高圧側の二次巻線を巻き重ねた高周波高圧変圧器において、上記二次巻線を電気的直列方向に複数に分割するとともに、それらの分割巻線をそれぞれリング状乃至鍔状でかつ共通の形態を備えたハニカムコイルに形成し、これらのハニカムコイルを内周部側低電位態勢で相互に電気的に直列接続して一連の巻線にしたことを特徴とする高周波高圧変圧器。
【請求項２】
コアに巻装した低圧側の一次巻線の外周に絶縁層を介して高圧側の二次巻線を巻き重ねた高周波高圧変圧器において、上記二次巻線を電気的並列方向に複数に分割するとともに、それらの分割巻線をそれぞれリング状乃至鍔状でかつ共通の形態を備えたハニカムコイルに形成し、これらのハニカムコイルを内周部側低電位態勢で相互に電気的に並列接続して一連の巻線にしたことを特徴とする高周波高圧変圧器。
【発明の詳細な説明】
【技術分野】
【０００１】
本発明は、高圧側の巻線を複数のハニカムコイルで形成した高周波高圧変圧器に関するものである。
【背景技術】
【０００２】
旧来の一般的な高周波高圧変圧器は、低周波低圧変圧器と同様の基本的形態を備えており、通常、特許文献１の図３乃至図５や特許文献２の図５にも示されているように、コアに巻装した低圧側の一次巻線の外周に、絶縁層を介して高圧側の二次巻線を同心筒状に巻き重ねているが、その筒状の二次巻線は密接に巻回されていることから大きな分布容量を伴い、用途によっては不都合を生ずることがある。この点、主に高周波回路に使用するものとして知られているハニカムコイルは、分布容量が小さいという利点を有しているので（非特許文献１、同２参照）、これを上記二次巻線に利用できれば好都合である。しかし、従来の筒状の二次巻線を単にハニカム巻に変えただけでは、その巻き形式から幾何学的寸法が大きくなるため、使用に供し得ない事態も多々生ずる。
【特許文献１】特開平５−１２９１４０号公報
【特許文献２】特開平１１−８１３６号公報
【非特許文献１】株式会社コロナ社発行（発行日昭和５９年１１月３１日）の「電子通信用語辞典」第６３５頁
【非特許文献２】株式会社近代科学社発行（発行日昭和５３年９月１５日）の「無線工学用語辞典」第１４−１８頁
【発明の開示】
【発明が解決しようとする課題】
【０００３】
そこで、本発明は、高圧側の二次巻線において、ハニカムコイルを特定の態勢で使用することにより、ハニカムコイルの長所を生かして分布容量を改善し、かつ、ハニカムコイルの短所を抑えて幾何学的寸法を使用に供し得る形態に改善しようとするものである。そして、これを更に進めて、ハニカムコイルの一定の限定的使用により、高周波高圧変圧器の全体的な小型軽量化、素材量、製作工数の低減、コストダウンを可能にして、一層の改善を図ろうとするものである。
【課題を解決するための手段】
【０００４】
本発明の請求項１の高周波高圧変圧器は、コアに巻装した低圧側の一次巻線の外周に絶縁層を介して高圧側の二次巻線を巻き重ねた高周波高圧変圧器において、上記二次巻線を電気的直列方向に複数に分割するとともに、それらの分割巻線をそれぞれリング状乃至鍔状でかつ共通の形態を備えたハニカムコイルに形成し、これらのハニカムコイルを内周部側低電位態勢で相互に電気的に直列接続して一連の巻線にしたことを特徴とする。
【０００５】
本発明の請求項２の高周波高圧変圧器は、コアに巻装した低圧側の一次巻線の外周に絶縁層を介して高圧側の二次巻線を巻き重ねた高周波高圧変圧器において、上記二次巻線を電気的並列方向に複数に分割するとともに、それらの分割巻線をそれぞれリング状乃至鍔状でかつ共通の形態を備えたハニカムコイルに形成し、これらのハニカムコイルを内周部側低電位態勢で相互に電気的に並列接続して一連の巻線にしたことを特徴とする。
【発明の効果】
【０００６】
本発明に係る請求項１の高周波高圧変圧器では、電気的直列方向に複数に分割した二次分割巻線をそれぞれリング状乃至鍔状でかつ共通の形態をなすハニカムコイルに形成し、これらのハニカムコイルを内周部側低電位態勢で直列接続しており、また、本発明に係る請求項２の高周波高圧変圧器では、電気的並列方向に複数に分割した二次分割巻線をそれぞれリング状乃至鍔状でかつ共通の形態をなすハニカムコイルに形成し、これらのハニカムコイルを内周部側低電位態勢で並列接続しているので、いずれの場合も、二次巻線において、ハニカムコイルを具合よく使用でき、ハニカムコイルの長所を十分に発揮させることができて二次巻線の分布容量を低減でき、かつ、ハニカムコイルの短所を抑えることができて幾何学的寸法を使用に供し得る形態にでき、前述の課題を解決できる。
【０００７】
更に、請求項２の高周波高圧変圧器では、並列接続とすることにより、一次巻線との間の電位差を極小化できて、両者間の絶縁層を薄くでき、しかも、ハニカムコイル相互間における各所の電位差をゼロボルト乃至ほぼゼロボルトにできて、ハニカムコイル間の距離をゼロ乃至ほぼゼロにまで格段に縮小でき、したがって、変圧器全体を小型軽量化でき、絶縁材量、鉄量等の素材量並びに製作の工数を低減でき、コストダウンを実現できる。
【発明を実施するための最良の形態】
【０００８】
二次巻線において、その中央にコモン端子を設ける場合は、このコモン端子を基準に双方に分割し、それぞれの分割巻線をハニカムコイルにする。一乃至複数の中間タップを設ける場合は、該中間タップに対応させて分割し、それらの分割巻線をそれぞれハニカムコイルにする。
【０００９】
ハニカムコイルを電気的に並列接続する場合は、全てのハニカムコイルの両端子からそれぞれに二次巻線としての所要電圧を出力させるが、この際には各ハニカムコイルの巻線の線断面積を並列数で除算したものとする。
【００１０】
また、二次コイルを複数併設させるときは、それぞれにつき同様に構成する。
【００１１】
なお、必要に応じて、上述のハニカムコイルにおける電気的直列接続と電気的並列接続とを各々適数にて併用するようにしてもよい。
【実施例１】
【００１２】
図１乃至図３は、本発明に係る請求項１の高周波高圧変圧器についての実施例を示すものであり、図示のものは、コア１に巻装した低圧側の筒状の一次巻線２の外周に合成樹脂による絶縁層３を介して高圧側の二次巻線５を巻き重ねた高周波高圧変圧器において、その二次巻線５を電気的直列方向に複数に分割し、これらの分割巻線をそれぞれ電磁的方向が同一で形態が鍔状で共通するハニカムコイル６，７，８に形成し、これらのハニカムコイル６，７，８を内周部側低電位態勢で相互に電気的に直列接続している。つまり、図２に示すように、例えば二次巻線５が三つのハニカムコイル６，７，８で出力電圧が１５[ｋＶ]に設定する場合、各ハニカムコイル６，７，８の出力電圧を５[ｋＶ]にして、それらを順次に直列接続することで１５[ｋＶ]になるようにし、該直列接続において、各ハニカムコイル６，７，８の内端が低電位になるようにする。こうすることにより、第１段のハニカムコイル６の内端電位が０［Ｖ］だとすれば、第２段のハニカムコイル７の内端電位が５[ｋＶ]、第３段のハニカムコイル７の内端電位が１５[ｋＶ]となる。また、この場合、二次巻線５のハニカムコイル６，７，８と一次巻線２との間に介在させる絶縁層３の厚さＡを一次・二次巻線間におけるグロー放電等の阻止に足る適正な値にし、かつ、ハニカムコイル相互間の間隔Ｂ（渡り）をハニカムコイル相互間における分布容量の防止に足る適正な値にする。なお、ハニカムコイル６，７，８は、リング状に形成してもよく、いずれの場合も内外周を円形、楕円形等にするとよい。コア１は、フェライトコアにするとよい。
【実施例２】
【００１３】
図４乃至図６は、本発明に係る請求項２の高周波高圧変圧器についての実施例を示すものであり、図示のものは、コア１に巻装した低圧側の筒状の一次巻線２の外周に合成樹脂による絶縁層３を介して高圧側の二次巻線５を巻き重ねた高周波高圧変圧器において、その二次巻線５を電気的並列方向に複数に分割し、これらの分割巻線をそれぞれ電磁的方向が同一で形態が鍔状で共通するハニカムコイル９，１０，１１に形成し、これらのハニカムコイル９，１０，１１を内周部側低電位態勢で相互に電気的に並列接続している。つまり、図５に示すように、例えば二次巻線５が三つのハニカムコイル９，１０，１１で出力電圧が１５[ｋＶ]に設定する場合、各ハニカムコイル９，１０，１１の出力電圧もそれぞれ１５[ｋＶ]にして、それらを並列接続し、該並列接続において、各ハニカムコイル９，１０，１１の内端が低電位になるようにする。こうすることにより、全てのハニカムコイル９，１０，１１の内端電位が０［Ｖ］となる。したがって、二次巻線５である各ハニカムコイル９，１０，１１の内周部と一次巻線２との間の電位差が極めて小さくなり、両者間の絶縁層３の厚さＡを頗る薄くできることになる。更に、ハニカムコイル相互間における各所の電位差がゼロボルト乃至ほぼゼロボルトになり、ハニカムコイル間の距離Ｂをゼロ乃至ほぼゼロにまで格段に縮小できることになる。ところで、各ハニカムコイル９，１０，１１の巻線の線断面積を並列数で除算したものとすることで、その大きさが請求項１における各ハニカムコイルとほぼ同等になる。なお、この実施例の場合も、ハニカムコイル９，１０，１１はリング状に形成してもよく、いずれの場合も内外周を円形、楕円形等にするとよい。勿論、コア１はフェライトコアにするとよい。
【産業上の利用可能性】
【００１４】
本発明の高周波高圧変圧器は、利用、適用の自在性、経済性が格段に高くなるので、広く各種機器に使用できて、広範な産業界の発展に貢献できる。
【図面の簡単な説明】
【００１５】
【図１】本発明に係る実施例１の高周波高圧変圧器を示す截断正面図である。
【図２】同高周波高圧変圧器を示す構成要領説明図である。
【図３】同高周波高圧変圧器のハニカムコイルから成る二次巻線の電気回路図である。
【図４】本発明に係る実施例２の高周波高圧変圧器を示す截断正面図である。
【図５】同高周波高圧変圧器を示す構成要領説明図である。
【図６】同高周波高圧変圧器のハニカムコイルから成る二次巻線の電気回路図である。
【符号の説明】
【００１６】
１  コア
２  一次巻線
３  絶縁層
５  二次巻線
６，７，８  ハニカムコイル
９，１０，１１  ハニカムコイル
【図１】
2009117626.tif 000003
【図２】
2009117626.tif 000004
【図３】
2009117626.tif 000005
【図４】
2009117626.tif 000006
【図５】
2009117626.tif 000007
【図６】
2009117626.tif 000008